(57)【要約】【課題】読取性の良い電子番組表を生成することのできる電子番組表受信装置を提供すること。【解決手段】ディスプレイ上の少なくとも一部の領域に、受信されたテレビ番組表を一定のサイズの大きさでテーブル様に表示させるテレビ番組表受信機能を備えたテレビジョン装置は、ディスプレイ上に表示されたテレビ番組表に、いずれかの番組の選択を促すカーソルを表示させる画像情報処理制御部５１２と、選択された番組のセルを拡張するセル拡張部５１５と、セル拡張部５１５により拡張されたセルの拡張量に応じて、カーソルにより選択された番組以外の番組のセルを圧縮するセル圧縮部５１６とを備えている。【選択図】図３
2007019707.tif 000002
【特許請求の範囲】
【請求項１】
画像表示装置の画像形成領域の少なくとも一部の領域に、受信された電子番組表を一定のサイズの大きさで表示させる電子番組表受信装置であって、
前記画像形成領域に表示された電子番組表のいずれかの番組の選択を促す番組選択手段と、
当該番組選択手段により選択された番組の表示領域を拡張する表示領域拡張手段と、
当該表示領域拡張手段により拡張された表示領域の拡張量に応じて、前記番組選択手段により選択された番組以外の番組の表示領域を圧縮する表示領域圧縮手段とを備えていることを特徴とする電子番組表受信装置。
【請求項２】
請求項１に記載の電子番組表受信装置において、
前記表示領域拡張手段は、
前記番組選択手段により選択された番組に加持された番組情報を取得する番組情報取得部と、
前記番組情報取得部により取得された番組情報の情報量に応じて、前記番組選択手段により選択された番組の表示領域の拡張量を設定する拡張量設定部とを備えていることを特徴とする電子番組表受信装置。
【請求項３】
請求項１または請求項２に記載の電子番組表受信装置において、
前記表示領域圧縮手段は、
前記表示領域拡張手段により設定された、前記番組選択手段により選択された番組の拡張量を取得する拡張量取得部と、
前記拡張量取得部で取得された拡張量に基づいて、前記番組選択手段により選択された番組以外の番組の表示領域を均等に圧縮する均等圧縮部とを備えていることを特徴とする電子番組表受信装置。
【請求項４】
請求項１〜請求項３のいずれかに記載の電子番組表受信装置において、
前記表示領域拡張手段は、前記番組選択手段により選択された番組の表示領域を、高さ方向および幅方向のうち少なくとも一方向へ拡張し、
前記表示領域圧縮手段は、前記番組選択手段により選択された番組以外の番組の表示領域を、高さ方向および幅方向のうち少なくとも一方向へ圧縮することを特徴とする電子番組表受信装置。
【発明の詳細な説明】
【技術分野】
【０００１】
本発明は、電子番組表受信装置に関する。
【背景技術】
【０００２】
従来、テレビジョン放送信号からＥＰＧ（Electronic Program Guide）情報を取得し、当該ＥＰＧ情報からテレビ番組表等を生成するセットトップボックス等の電子番組表受信装置が知られている。
【０００３】
電子番組表受信装置により生成されたテレビ番組表は、複数のセルを有するテーブル様に構成されており、例えば、縦軸は放送日時、横軸はテレビジョン放送のチャンネルに基づいて分割されている。そして、テレビ番組表の各セルには、それぞれ、縦軸の放送日時および横軸のチャンネルに対応する番組の番組情報（タイトル、番組内容、出演者等）が表示されている。
セルに格納される番組情報、例えば、タイトルが当該セルのサイズに比べて長い場合、当該タイトルは、末尾が省略されて表示される。しかし、省略されたタイトルでは、何という番組なのかユーザが分からない恐れがある。
【０００４】
これに対し、セルのサイズを拡張することで、番組情報を省略せずに表示させる番組表示装置が知られている（例えば、特許文献１参照）。特許文献１に記載の番組表示装置は、ディスプレイに表示されたテレビ番組表において、ユーザが操作するカーソル等によって番組が選択されると、選択された番組のセルが属すチャンネルの行を縦方向に拡張する。すると、選択された番組のセルも縦方向に拡張されることから、当該番組の番組情報は、拡張されたセル内に完全に表示されることができる。
【特許文献１】特開平１０−２８２４４号公報
【発明の開示】
【発明が解決しようとする課題】
【０００５】
しかしながら、特許文献１に記載の番組表示装置では、選択された番組のセルが属すチャンネルの行が縦方向に拡張されると、テレビ番組表自体も縦方向に拡張されるので、ディスプレイの表示領域からテレビ番組表がはみ出してしまう。このため、はみ出したチャンネルの行の番組が、ディスプレイに表示されなくなる。
これに対し、従来の電子番組表受信装置を参考にすると、テレビ番組表にスクロール機能を付加し、ユーザのスクロール操作に応じて、テレビ番組表のはみ出した部分を表示させる対処が考えられる。
しかし、特許文献１に係るテレビ番組表に、上述のようなスクロール機能を付加しても、スクロール操作を行う煩雑さに加え、ある時間帯に放送されている番組を比較する際に、全チャンネルの番組を一目で見比べることができないという不便が生じる。
【０００６】
本発明の目的は、読取性の良い電子番組表を生成することのできる電子番組表受信装置を提供することである。
【課題を解決するための手段】
【０００７】
前記した目的を達するために、本発明の電子番組表受信装置は、画像表示装置の画像形成領域の少なくとも一部の領域に、受信された電子番組表を一定のサイズの大きさで表示させる電子番組表受信装置であって、前記画像形成領域に表示された電子番組表のいずれかの番組の選択を促す番組選択手段と、当該番組選択手段により選択された番組の表示領域を拡張する表示領域拡張手段と、当該表示領域拡張手段により拡張された表示領域の拡張量に応じて、前記番組選択手段により選択された番組以外の番組の表示領域を圧縮する表示領域圧縮手段とを備えていることを特徴とする。
【０００８】
本発明によれば、番組選択手段により選択された番組の表示領域が、表示領域拡張手段により拡張され、選択されていない番組の表示領域が、表示領域圧縮手段によって圧縮される。すなわち、選択された番組の表示領域が、選択されていない周囲の表示領域よりも目立つようになる。従って、本発明の電子番組表受信装置は、ユーザに対し、電子番組表で選択された番組の識別を容易にさせることができる。
【０００９】
さらに、表示領域圧縮手段は、選択された番組の表示領域の拡張量に応じて、選択されていない番組の表示領域を圧縮する。例えば、表示領域拡張手段が、選択された番組の表示領域を、１０の拡張量で拡張した場合、表示領域圧縮手段は、選択されてない番組の各表示領域を、総圧縮量が１０となるように圧縮する。このため、画像形成領域に表示された電子番組表のサイズは変化しないので、電子番組表が画像形成領域内に納まりきらずに、電子番組表の一部が省略されてしまうことはない。
すなわち、選択された番組の表示領域の拡張によって、電子番組表に表示される番組数が減少されることはない。これにより、電子番組表にスクロール機能やページ切換機能等を備える必要がなく、ユーザは、電子番組表に表示されている番組を一目で確認することができる。
従って、本発明の電子番組表受信装置は、ユーザに対し、読取りやすい電子番組表を提供することができる。
【００１０】
本発明では、前記表示領域拡張手段は、前記番組選択手段により選択された番組に加持された番組情報を取得する番組情報取得部と、前記番組情報取得部により取得された番組情報の情報量に応じて、前記番組選択手段により選択された番組の表示領域の拡張量を設定する拡張量設定部とを備えていることが好ましい。
【００１１】
本発明によれば、番組情報取得部は、番組選択手段により選択された番組の番組情報を取得し、拡張量設定部は、番組情報取得部により取得された番組情報の情報量に応じて、選択された番組の表示領域の拡張量を設定する。すなわち、選択された番組の表示領域には、選択された番組に加持される番組情報が、完全に表示されることになる。
従って、本発明の電子番組表受信装置は、ユーザに対し、選択された番組がどのような番組であるかを読取りやすく示すことができる。
【００１２】
本発明では、前記表示領域圧縮手段は、前記表示領域拡張手段により設定された、前記番組選択手段により選択された番組の拡張量を取得する拡張量取得部と、前記拡張量取得部で取得された拡張量に基づいて、前記番組選択手段により選択された番組以外の番組の表示領域を均等に圧縮する均等圧縮部とを備えていることが好ましい。
【００１３】
本発明によれば、均等圧縮部によって、選択されていない番組の表示領域は、均等に圧縮される。すなわち、画像形成領域に表示された電子番組表の外観を向上させることができる。従って、本発明の電子番組表受信装置は、電子番組表の読取性をさらに向上させることができる。また、選択されていない表示領域のいずれかが極端に圧縮されることはないので、表示領域の圧縮により電子番組表が読取りにくくなることを防ぐことができる。
【００１４】
本発明では、前記表示領域拡張手段は、前記番組選択手段により選択された番組の表示領域を、高さ方向および幅方向のうち少なくとも一方向へ拡張し、前記表示領域圧縮手段は、前記番組選択手段により選択された番組以外の番組の表示領域を、高さ方向および幅方向のうち少なくとも一方向へ圧縮することが好ましい。
本発明によれば、表示領域の拡張量および圧縮量は、高さ方向および幅方向の長さを用いて表すことができるので、これらの値が表現されやすくなる。さらに、圧縮量は、拡張量の長さおよび方向に基づいて決定されるため、圧縮量は、比較的簡単な数式から算出されることができる。
【発明を実施するための最良の形態】
【００１５】
本発明の一実施形態を、図１〜図８を用いて説明する。本実施形態では、画像表示装置および電子番組表受信装置としてテレビジョン装置を採用する。すなわち、本実施形態のテレビジョン装置は、電子番組表受信機能を備えている。
〔１．テレビジョン装置１の構成〕
〔1-1．テレビジョン装置１の概略構成〕
図１は、テレビジョン装置１を示す模式図である。
本実施形態のテレビジョン装置１は、図１に示すように、装置本体２と、この装置本体２を遠隔操作するリモートコントローラ３とを備えている。
【００１６】
装置本体２の筐体正面には、画像が表示される画像形成領域としてのディスプレイ２１が設けられている。
リモートコントローラ３は、図示を省略するが、複数の操作キーを備えている。リモートコントローラ３は、操作キーが押下されると、押下された操作キーに応じた操作信号を、赤外線により装置本体２に送信する。操作信号として、例えば、後述するテレビ番組表画面の表示を指示するテレビ番組表表示信号、テレビ番組表画面上のカーソルの移動を指示するカーソル移動信号等が挙げられる。
なお、リモートコントローラ３は、赤外線によって操作信号を出力するとしたが、電波によって操作信号を送信するように構成してもよい。
【００１７】
〔1-2．装置本体２の内部構成〕
図２は、テレビジョン装置１の内部構成を示すブロック図である。
装置本体２は、テレビジョン放送信号に含まれるテレビ番組等の画像情報および音声情報を取得して、当該画像情報に基づく画像を形成、表示するとともに、当該音声情報に基づく音声を出力する。さらに、装置本体２は、テレビジョン放送信号とともに搬送されるＥＰＧ（Electronic Program Guide）情報を受信し、当該ＥＰＧ情報に基づくテレビ番組表を形成・表示する。なお、ＥＰＧ情報およびテレビ番組表は、本発明の電子番組表に相当する。
装置本体２は、図２に示すように、画像表示手段４と、制御基板５とを備えている。
画像表示手段４は、後述する制御基板５から出力された画像信号に応じて、表示画像を形成しディスプレイ２１上に表示するものである。
【００１８】
〔1-3．制御基板５の構成〕
制御基板５は、装置本体２を制御する回路基板として構成されている。制御基板５は、図２に示すように、ＣＰＵ（Central Processing Unit）５１と、メモリ５２と、チューナ５３と、デマルチプレクサ５４と、ＥＰＧ情報処理部５５と、画像情報処理部５６と、信号インターフェイス（信号Ｉ／Ｆ）５７とを備えている。
このうち、信号Ｉ／Ｆ５７は、リモートコントローラ３から送信された赤外線の操作信号を受信し、デジタル形式の電気信号に変換してＣＰＵ５１に出力する。
【００１９】
チューナ５３は、アンテナ１１を介して受信されるテレビジョン放送信号のうち、ユーザにより選択されたチャンネルに応じた周波数のテレビジョン放送信号を選択して受信し、一定周波数の信号に変換してデマルチプレクサ５４に出力する。
デマルチプレクサ５４は、チューナ５３により変換された信号から、画像情報、音声情報、および、ＥＰＧ情報を分離、抽出する。これらのうち、画像情報は、画像情報処理部５６に出力され、ＥＰＧ情報は、ＥＰＧ情報処理部５５に出力される。また、音声情報は、図示を省略するが、音声情報処理部で処理され、スピーカを介して当該音声情報に応じた音声として出力される。
【００２０】
画像情報処理部５６は、デマルチプレクサ５４から出力された画像情報に対し、ＣＰＵ５１から出力される命令に従って、画像処理および描画処理を実行する。画像情報処理部５６は、画像処理部５６１と、描画処理部５６２と、バッファ５６３と、画像出力部５６４とを備えている。
画像処理部５６１は、デマルチプレクサ５４から出力された画像情報を、画像表示手段４の仕様に適応する１フレームごとの画像情報に変換して描画処理部５６２に出力する。
描画処理部５６２は、画像処理部５６１から出力された画像情報に対し、画像サイズの調整や表示位置の調整、表示画像の形成等を行い、バッファ５６３に１フレームの表示画像として出力する。
画像出力部５６４は、バッファ５６３内に格納された表示画像を読取り、画像信号として画像表示手段４に出力する。
【００２１】
ＥＰＧ情報処理部５５は、デマルチプレクサ５４から出力されたＥＰＧ情報を処理して、メモリ５２に記録する。本実施形態では、ＥＰＧ情報には、テレビジョン放送信号により放送されるテレビ番組の番組情報（放送日、放送時間、チャンネル、タイトル、番組内容、出演者、ジャンル等）が含まれている。ＥＰＧ情報処理部５５は、取得したＥＰＧ情報をテーブル様に処理し、メモリ５２に記録する。
なお、ＥＰＧ情報処理部５５は、定期的に新しいＥＰＧ情報を取得し、取得されたＥＰＧ情報に基づいて、メモリ５２に記録されている前回のＥＰＧ情報を更新する。すなわち、メモリ５２には、最新のＥＰＧ情報が記録されていることとなる。
【００２２】
メモリ５２には、ＣＰＵ５１、ＥＰＧ情報処理部５５および画像情報処理部５６によって処理されるプログラムや各種データが格納されている。具体的には、メモリ５２には、テレビジョン装置制御プログラム、テレビ番組表形成プログラム、および、ＥＰＧ情報等が記録される。
【００２３】
〔1-4．ＣＰＵ５１の機能的構成〕
図３は、ＣＰＵ５１の機能的構成を示すブロック図である。
ＣＰＵ５１は、制御基板５全体の駆動を制御するものであり、メモリ５２から各制御プログラムを読み込んで実行し、制御基板５を構成する各処理部５２〜５７に、バスＢを介して制御命令を出力する。また、ＣＰＵ５１は、必要に応じて、メモリ５２からテレビ番組表形成プログラムを読取って、テレビ番組表形成処理を実行する。
ＣＰＵ５１は、入力信号検出部５１１と、制御基板５全体を制御する制御部のうち画像情報処理部５６を制御する画像情報処理制御部５１２と、テレビ番組表形成処理を実行するテレビ番組表設定部５１３とを備えている。
【００２４】
入力信号検出部５１１は、リモートコントローラ３から出力される操作信号を検出し、当該操作信号を検出した旨を、画像情報処理制御部５１２などの制御部へ連絡する。操作信号として、前述したテレビ番組表表示信号およびカーソル移動信号等がある。
画像情報処理制御部５１２は、入力信号検出部５１１から操作信号検出の連絡が入力すると、画像情報処理部５６に対し、当該操作信号に基づく画像処理および描画処理の実行を命令するとともに、これら処理の処理条件を指示する。
例えば、テレビ番組表表示信号検出の連絡が入力した場合、画像情報処理制御部５１２は、後述するレイアウト情報を含んだテレビ番組表形成命令を、バスＢを介して画像情報処理部５６に出力する。
【００２５】
テレビ番組表設定部５１３は、テレビ番組表のサイズ、テレビ番組表を構成するセルのサイズ、および、各セルに格納する番組情報など、テレビ番組表のレイアウトを設定する。
ここで、テレビ番組表とは、前述したように、ＥＰＧ処理部５５により処理されたＥＰＧ情報に基づいて形成され、ディスプレイ２１上に表示されるものである。テレビ番組表の一セルは、一番組に対応しており、対応する番組の番組情報を格納している。すなわち、セルは、本発明の表示領域に相当する。
テレビ番組表上の番組は、セルごとに移動するカーソルによって選択される。すなわち、カーソル移動信号に応じて、テレビ番組表上のカーソルの移動および表示を指示する画像情報処理制御部５１２は、本発明の番組選択手段に相当する。
【００２６】
テレビ番組表設定部５１３は、選択番組特定部５１４と、表示領域拡張手段としてのセル拡張部５１５と、表示領域圧縮手段としてのセル圧縮部５１６とを備えている。
選択番組特定部５１４は、テレビ番組表上におけるカーソル位置から、カーソルによって選択されている番組（選択番組）を特定する。
具体的には、選択番組特定部５１４は、入力信号検出部５１１によりカーソル移動信号が検出されると、当該カーソル移動信号に基づいてカーソルが移動した際に、カーソルが選択する選択番組を特定する。また、選択番組特定部５１４は、入力信号検出部５１１によりテレビ番組表表示信号が検出されると、検出時にディスプレイ２１上に表示されていた番組を選択番組として特定する。
【００２７】
セル拡張部５１５は、選択番組のセルのサイズを設定する。ここで、本実施形態のテレビ番組表は、幅方向にチャンネル、高さ方向に放送時間を割当てているとする。セル拡張部５１５は、番組情報取得部５１５１と、拡張量設定部５１５２とを備えている。
番組情報取得部５１５１は、メモリ５２に記録されているＥＰＧ情報を探索し、選択番組特定部５１４で特定された選択番組の番組情報を取得する。本実施形態では、番組情報として選択番組のタイトルを取得する。
【００２８】
拡張量設定部５１５２は、番組情報取得部５１５１により取得された選択番組のタイトルの文字数に応じて、選択番組のセルのサイズを設定する。
具体的には、拡張量設定部５１５２は、選択番組のセルのサイズを、番組情報取得部５１５１により取得されたタイトルが完全に格納可能なサイズに調節する。
ここで、サイズの調節方法として、選択番組のセルの幅を調節する方法と、セルの高さを調節する方法と、セルの幅および高さを調節する方法との３通りが挙げられる。いずれにおいても、調節した方向のセルの長さを、選択番組のセルの拡張量とする。
【００２９】
セル圧縮部５１６は、選択番組のセルの拡張量に応じて、選択番組以外の番組（未選択番組）のセルのサイズを設定する。セル圧縮部５１６は、拡張量取得部５１６１と、均等圧縮部５１６２とを備えている。
拡張量取得部５１６１は、拡張量設定部５１５２により設定された選択番組のセルの拡張量を取得する。この拡張量には、サイズを調節した方向の情報も含まれている。
【００３０】
均等圧縮部５１６２は、拡張量取得部５１６１により取得された選択番組のセルの拡張量に応じて、未選択番組のセルのサイズを設定する。
具体的には、均等圧縮部５１６２は、カーソル移動前後において、ディスプレイ２１上に表示されるテレビ番組表のサイズ（幅方向長さ、および、高さ方向長さ）が変化しないように、未選択番組のセルのサイズを調節する。
ただし、この未選択番組のセルのサイズ調節方法は、セル拡張部５１５により実行された選択番組のセルのサイズ調節方法によって異なる。すなわち、未選択番組のセルのサイズ調節方法は、セル拡張部５１５が選択番組のセルの幅を調節したのか、高さを調節したのか、幅および高さを調節したのかによって、３通り挙げられる。
【００３１】
まず、セル拡張部５１５が選択番組のセルの幅を調節した場合に、均等圧縮部５１６２が実行する未選択番組のセルのサイズ調節方法について説明する。なお、ここで用いる未選択番組とは、選択番組とは異なるチャンネル列に属する番組を指す。
ここで、本実施形態のテレビ番組表は、幅方向長さがＬＷであり、Ｎ個のチャンネルの番組を掲載しているとする。さらに、拡張量設定部５１５２により、選択番組のセルの拡張量がＷ、すなわち、選択番組のセルの幅方向長さ（セル幅）がＷと設定されたとする。
【００３２】
均等圧縮部５１６２は、テレビ番組表の幅方向長さＬＷから、選択番組のセル幅Ｗを引いた残差  （ＬＷ−Ｗ）を、未選択番組が属するチャンネル列数（Ｎ−１）で割った長さを求める。すなわち、均等圧縮部５１６２は、式（１）で示される計算を行う。
（ＬＷ−Ｗ）／（Ｎ−１）＝Ｗ１                    …式（１）
算出された値Ｗ１は、未選択番組のセル幅Ｗ１、および、未選択番組が属するチャンネル列の幅方向長さとして設定される。なお、選択番組が属するチャンネル列の幅方向長さは、選択番組のセル幅Ｗと同じ長さとして設定される。
このような設定方法により、未選択番組のセル幅はそれぞれ均等となり、さらに、テレビ番組表の幅の長さＬＷは変化しない。
【００３３】
次に、セル拡張部５１５が選択番組のセルの高さを調節した場合について説明する。なお、ここで用いる未選択番組とは、選択番組と同じチャンネル列に属する番組を指す。
ここで、本実施形態のテレビ番組表は、高さ方向長さがＬＨであり、ＬＴ時間分の番組を掲載しているとする。さらに、拡張量設定部５１５２により、選択番組のセルの拡張量がＨ、すなわち、選択番組のセルの高さ方向長さ（セル高さ）がＨと設定されたとする。
【００３４】
まず、均等圧縮部５１６２は、テレビ番組表の高さ方向長さＬＨから、選択番組のセル高さＨを引いた残差（ＬＨ−Ｈ）を求める。次に、選択番組の番組情報から選択番組の放送時間分Ｔを求め、この選択番組の放送時間分Ｔを、テレビ番組表の全時間分ＬＴから引いた残差（ＬＴ−Ｔ）を求める。そして、これらの値を用いて、式（２）で示される計算を行う。
（ＬＨ−Ｈ）／（ＬＴ−Ｔ）＝ＨＰＴ                …式（２）
算出される値ＨＰＴは、未選択番組のセルにおける単位時間当たりの高さ方向長さに相当する。すなわち、ある未選択番組の放送時間分がＴ１時間であった場合、当該未選択番組のセル高さＨ１は、式（３）で表される。
Ｈ１＝Ｔ１×ＨＰＴ                                …式（３）
均等圧縮部５１６２は、この単位時間当たりの高さ方向長さＨＰＴを用いて、各未選択番組のセル高さを設定する。さらに、選択番組とは異なるチャンネル列に属する番組のセルは、セル高さが設定された未選択番組に合わせて、セル高さおよび配置が設定される。
【００３５】
セル拡張部５１５が選択番組のセルの幅および高さを調節した場合に、均等圧縮部５１６２が実行する未選択番組のセルのサイズ調節方法は、上述したセルの高さを調節した場合、および、セルの幅を調節した場合における各設定方法を組み合わせたものとなる。
【００３６】
このようにして、セル拡張部５１５およびセル圧縮部５１６により設定された各番組のセルのサイズを、セルサイズ情報とする。
テレビ番組表設定部５１３は、取得・設定された選択番組、番組情報およびセルサイズ情報を、レイアウト情報として画像情報処理制御部５１２に出力する。
描画処理部５６２は、前述したように、ＣＰＵ５１から出力された命令に従って、描画処理を行う。描画処理部５６２は、ＣＰＵ５１からレイアウト情報を含んだテレビ番組表形成命令が出力されると、当該レイアウト情報に基づいてテレビ番組表画像を形成する。
【００３７】
〔２．制御基板５の作用〕
制御基板５の作用について、図４〜図８を用いて説明する。制御基板５は、リモートコントローラ３から出力される各種操作信号に応じて、テレビ番組表形成処理を実行する。
図４は、このテレビ番組表形成処理を説明するためのフロー図である。
制御基板５を構成するＣＰＵ５１において、入力信号検出部５１１は、リモートコントローラ３から出力される操作信号を監視しており、テレビ番組表表示信号を検出したか否かを判定している（Ｓ１）。テレビ番組表表示信号を検出しない場合、入力信号検出部５１１は、操作信号の監視を続行する。
一方、テレビ番組表表示信号が検出された場合、テレビ番組表設定部５１３を構成する選択番組特定部５１４は、検出時に画像表示手段４により表示されている番組を、選択番組として特定する（Ｓ２）。
【００３８】
次に、セル拡張部５１５の番組情報取得部５１５１は、メモリ５２内のＥＰＧ情報を探索し、選択番組のタイトルを取得する（Ｓ３）。拡張量設定部５１５２は、番組情報取得部５１５１により取得されたタイトルの文字数に応じて、選択番組のセル幅を調節し、選択番組のセルの拡張量を設定する（Ｓ４）。
セル圧縮部５１６の拡張量取得部５１６１は、拡張量設定部５１５２により設定された選択番組のセルの拡張量を取得する（Ｓ５）。そして、均等圧縮部５１６２は、拡張量取得部５１６１により取得された選択番組のセルの拡張量に応じて、未選択番組のセル幅を設定する（Ｓ６）。
画像情報処理制御部５１２は、処理Ｓ２〜処理Ｓ６で設定されたレイアウト情報を取得し、当該レイアウト情報を含んだテレビ番組表形成命令を、描画処理部５６２に出力する（Ｓ７）。
【００３９】
描画処理部５６２は、画像情報処理制御部５１２から出力されたレイアウト情報に基づいて、テレビ番組表画像を形成する（Ｓ８）。そして、描画処理部５６２は、形成されたテレビ番組表画像を、バッファ５６３に出力する（Ｓ９）。
バッファ５６３に出力されたテレビ番組表は、画像出力部５６４によって画像表示手段４に出力される。そして、画像表示手段４により、テレビ番組表画面がディスプレイ２１上に表示される。
【００４０】
図５は、ディスプレイ２１上に表示されたテレビ番組表画面６を示す模式図である。
図５に示すように、テレビ番組表６１において、カーソルＫが選択している選択番組Ｐ１のセルＣ１では、選択番組Ｐ１のタイトルが完全に表示されている。さらに、選択番組Ｐ１が属するチャンネル列Ｌ１の幅は、セルＣ１に合わせて拡張されている。
一方、チャンネル列Ｌ２〜Ｌ５は、幅の長さがそれぞれ均等に構成されている。そして、チャンネル列Ｌ２〜Ｌ５上のセルでは、各セルのサイズに合わせて、番組のタイトルが末尾を省略されて表示されている。
【００４１】
次に、ＣＰＵ５１において、入力信号検出部５１１は、リモートコントローラ３から出力される操作信号を監視しており、カーソル移動信号を検出したか否かを判定している（Ｓ１０）。カーソル移動信号を検出しない場合、入力信号検出部５１１は、操作信号の監視を続行する。
一方、カーソル移動信号を検出した場合、選択番組特定部５１４は、検出されたカーソル移動信号に従ってカーソルが移動した際に、カーソルが選択する番組を新たな選択番組として特定する（Ｓ１１）。
【００４２】
次に、セル拡張部５１５の番組情報取得部５１５１は、メモリ５２内のＥＰＧ情報を探索し、選択番組のタイトルを取得する（Ｓ１２）。拡張量設定部５１５２は、番組情報取得部５１５１により取得されたタイトルの文字数に応じて、選択番組のセル幅を調節し、選択番組のセルの拡張量を設定する（Ｓ１３）。
セル圧縮部５１６の拡張量取得部５１６１は、拡張量設定部５１５２により設定された選択番組のセルの拡張量を取得する（Ｓ１４）。そして、均等圧縮部５１６２は、拡張量取得部５１６１により取得された選択番組のセルの拡張量に応じて、未選択番組のセル幅を設定する（Ｓ１５）。
画像情報処理制御部５１２は、処理Ｓ１１〜処理Ｓ１４で設定されたレイアウト情報を取得し、当該レイアウト情報を含んだテレビ番組表形成命令を、描画処理部５６２に出力する（Ｓ１６）。
【００４３】
描画処理部５６２は、画像情報処理制御部５１２から出力されたレイアウト情報に基づいて、テレビ番組表画像を形成する（Ｓ１７）。そして、描画処理部５６２は、形成されたテレビ番組表画像を、バッファ５６３に出力する（Ｓ１８）。
バッファ５６３に出力されたテレビ番組表は、画像出力部５６４によって画像表示手段４に出力される。そして、画像表示手段４により、テレビ番組表画面がディスプレイ２１上に表示される。
【００４４】
図６は、カーソル移動信号の入力に応じて表示されたテレビ番組表画面６Ａを示す模式図である。図６に示すテレビ番組表画面６Ａでは、カーソルＫ移動前のテレビ番組表画面６（図５）と比べて、カーソルＫが１つ右隣のセルＣ２へ移動している。
テレビ番組表画面６Ａでは、カーソルＫにより選択された選択番組Ｐ２が属するチャンネル列Ｌ２は、テレビ番組表画面６（図５）のチャンネル列Ｌ２と比べて、幅方向へ拡張されている。これにより、選択番組Ｐ２のセルＣ２では、選択番組Ｐ２のタイトルが完全に表示されている。
【００４５】
一方、チャンネル列Ｌ１，Ｌ３〜Ｌ５は、幅の長さがそれぞれ均等に構成されている。そして、チャンネル列Ｌ１，Ｌ３〜Ｌ５上のセルでは、各セルのサイズに合わせて、番組のタイトルの末尾が省略されて表示されている。
なお、カーソルＫの移動前後において、テレビ番組表画面６（図５）およびテレビ番組表画面６Ａ（図６）のサイズ（幅方向の長さ、および、高さ方向の長さ）は、変化していない。
【００４６】
処理Ｓ１９で、入力信号検出部５１１は、リモートコントローラ３から出力されるテレビ番組表終了信号を検出したか否かを判定している。
テレビ番組表終了信号を検出しない場合、入力信号検出部５１１は、処理Ｓ１０に戻り、カーソル移動信号入力の監視を行う。
一方、テレビ番組表終了信号が検出された場合、画像情報処理部５１２は、テレビ番組表画面６Ａの表示終了の制御命令を、描画処理部５６２に出力し、制御基板５は、テレビ番組表形成処理を終了する。
【００４７】
なお、ここでは、処理Ｓ４および処理Ｓ１３において、拡張量設定部５１５２は、選択番組のセルの幅を調節するとしたが、前述したように、セルの高さを調節するとしてもよい。この場合、カーソルの移動前後において、テレビ番組表示画面は、図７および図８に示すように表示される。なお、図７は、カーソルＫ移動前のテレビ番組表画面７を示す模式図、図８は、カーソルＫ移動後のテレビ番組表画面７Ａを示す模式図である。
【００４８】
図８に示すように、テレビ番組表画面７Ａ上において、カーソルＫで選択された選択番組Ｐ３のセルＣ４は、カーソルＫ移動前のテレビ番組表画面７（図７）と比べて、高さ方向へ拡張されている。これにより、選択番組Ｐ３のセルＣ４では、選択番組Ｐ３のタイトルが完全に表示されている。
一方、テレビ番組表画面７Ａ上において、選択番組Ｐ３が属するチャンネル列Ｌ３上のセルＣ３，Ｃ５〜Ｃ７は、高さ方向長さが、各番組の放送時間分に対応させて構成されている。すなわち、３０分番組のセルＣ５は、１時間番組のセルＣ７に比べて、セル高さが２分の１となっている。
さらに、セルＣ３，Ｃ５〜Ｃ７、および、チャンネル列Ｌ１，Ｌ２，Ｌ４，Ｌ５上のセルでは、各セルのサイズに合わせて、番組のタイトルの末尾が省略されて表示されている。
なお、カーソルＫの移動前後において、テレビ番組表画面７（図７）およびテレビ番組表画面７Ａ（図８）のサイズ（幅および高さ）は、変化していない。
【００４９】
本実施形態によれば、カーソルにより選択された選択番組のセルが、セル拡張部５１５により拡張され、未選択番組のセルが、セル圧縮部５１６によって圧縮される。すなわち、選択番組のセルが、選択されていない周囲のセルよりも目立つようになる。従って、本実施形態のテレビジョン装置１は、ユーザに対し、テレビ番組表上での選択番組の識別を容易にさせることができる。
【００５０】
さらに、セル圧縮部５１６は、選択番組のセルの拡張量に応じて、未選択番組のセルを圧縮する。例えば、セル拡張部５１５が、選択番組のセルを、幅方向に１０の拡張量で拡張した場合、セル圧縮部５１６は、幅方向の総圧縮量が１０となるように、選択されてない番組の各セルを圧縮する。このため、ディスプレイ２１に表示されたテレビ番組表のサイズは変化しないので、テレビ番組表がディスプレイ２１に納まりきらずに、テレビ番組表の一部が省略されてしまうことはない。
【００５１】
すなわち、選択番組のセルの拡張によって、テレビ番組表に表示される番組数が減少されることはない。これにより、テレビ番組表にスクロール機能やページ切換機能等を備える必要がなく、ユーザは、テレビ番組表に表示されている番組を一目で確認することができる。
従って、本実施形態のテレビジョン装置１は、ユーザに対し、読取りやすいテレビ番組表を提供することができる。
【００５２】
そして、番組情報取得部５１５１は、カーソルにより選択番組の番組情報を取得し、拡張量設定部５１５２は、番組情報取得部５１５１により取得された番組情報の情報量に応じて、選択番組のセルの拡張量を設定する。すなわち、選択番組のセルには、選択番組に加持される番組情報が、完全に表示されることになる。
従って、本実施形態のテレビジョン装置１は、ユーザに対し、選択番組がどのような番組であるかを読取りやすく示すことができる。
【００５３】
また、均等圧縮部５１６２によって、未選択番組のセルは、高さ方向および幅方向のうち少なくとも一方向の長さが均等に圧縮される。すなわち、ディスプレイ２１上に表示されたテレビ番組表の外観を向上させることができる。従って、本実施形態のテレビジョン装置１は、テレビ番組表の読取性をさらに向上させることができる。また、選択されていないセルのいずれかが極端に圧縮されることはないので、セルの圧縮によりテレビ番組表が読取りにくくなることを防ぐことができる。
さらに、各セルは、高さ方向および幅方向のうち少なくとも一方向へ拡張・圧縮される。すなわち、セルの拡張量および圧縮量は、高さ方向および幅方向の長さを用いて表すことができるので、これらの値が表現されやすくなる。さらに、圧縮量は、拡張量の長さおよび方向に基づいて決定されるため、圧縮量は、比較的簡単な数式から算出されることができる。
〔３．前記実施形態の変形〕
【００５４】
本発明を実施するための最良の構成などは、以上の記載で開示されているが、本発明はこれに限定されるものではない。すなわち、前記実施形態は、本発明を限定するものではないから、それらの形状、材質などの限定の一部若しくは全部の限定を外した部材の名称での記載は、本発明に含まれるものである。
前期実施形態では、電子番組表受信装置として、電子番組表受信機能を備えたテレビジョン装置１を採用した。このように、本発明では、電子番組表受信装置を備えた画像表示装置として、フロントプロジェクタ、リアプロジェクタ、プラズマテレビ、液晶テレビ、および、ＣＲＴ（Cathode Ray Tube）方式テレビ等を採用してもよい。すなわち、画像表示手段４として、液晶パネル、または、デジタル・マイクロミラー・デバイス（テキサスインスツルメント社商標）、ＰＤＰ（Plasma Display Panel）等を備える電気光学装置、および、ＣＲＴディスプレイ等が挙げられる。
【００５５】
さらに、本発明では、電子番組表受信装置として、セットトップボックスを採用してもよい。本発明のセットトップボックスを、上述したリアプロジェクタ、液晶テレビ等の画像表装置に接続することで、本発明のセットボックス内で形成されたテレビ番組表を、画像表示装置のディスプレイに表示させることができる。
【００５６】
なお、前記実施形態では、電子番組表受信装置としてテレビジョン装置１を採用したが、テレビジョン放送を受信しない電子番組表受信装置でもよい。ただし、このような場合、ＥＰＧ情報は、テレビジョン放送信号とともに搬送されるのではなく、インターネット回線等を介して搬送されるものとなる。
本発明では、ＥＰＧ情報は、テレビジョン放送信号の隙間を使って搬送されるもの、インターネット回線を介して搬送されるもの、および、データ放送信号に含まれて搬送されるもの等が考えられる。
【００５７】
前記実施形態では、テレビ番組表は、幅方向にチャンネル、高さ方向に放送時間を割当てたが、これとは逆に、幅方向に放送時間、高さ方向にチャンネルを割当ててもよい。
前記実施形態では、テレビ番組表の各セルに表示させる番組情報は、番組のタイトルとしたが、タイトルに加え、番組内容や出演者等を表示させてもよい。
本発明では、テレビ番組表画面にスクロール機能を設けてもよい。この場合、セル圧縮部５１６によりサイズが調節される未選択番組のセルは、カーソル移動前にディスプレイ２１に表示されているセルとなる。すなわち、カーソル移動前後において、ディスプレイ２１に表示される番組は変化しない。
【産業上の利用可能性】
【００５８】
本発明は、電子番組表受信装置に利用することができる。
【図面の簡単な説明】
【００５９】
【図１】本発明の一実施形態に係るテレビジョン装置を示す模式正面図。
【図２】前記実施形態に係るテレビジョン装置の内部構成を示すブロック図。
【図３】前記実施形態に係るＣＰＵの機能的構成を示すブロック図。
【図４】前記実施形態に係る制御基板の作用を説明するためのフロー図。
【図５】前記実施形態に係るカーソル移動前のテレビ番組表画面を示す模式図。
【図６】前記実施形態に係るカーソル移動後のテレビ番組表画面を示す模式図。
【図７】前記実施形態に係るカーソル移動前のテレビ番組表画面を示す模式図。
【図８】前記実施形態に係るカーソル移動後のテレビ番組表画面を示す模式図。
【符号の説明】
【００６０】
１…テレビジョン装置（電子番組表受信装置）、２１…ディスプレイ（画像形成領域）、６，６Ａ，７，７Ａ…テレビ番組表画面、５１２…画像情報処理制御部（番組選択手段）、５１５…セル拡張部（表示領域拡張手段）、５１５１…番組情報取得部、５１５２…拡張量設定部、５１６…セル圧縮部（表示領域圧縮手段）、５１６１…拡張量取得部、５１６２…均等圧縮部、Ｃ１〜Ｃ７…セル（表示領域）
【図１】
2007019707.tif 000003
【図２】
2007019707.tif 000004
【図３】
2007019707.tif 000005
【図４】
2007019707.tif 000006
【図５】
2007019707.tif 000007
【図６】
2007019707.tif 000008
【図７】
2007019707.tif 000009
【図８】
2007019707.tif 000010